(57)【要約】      （修正有）【課題】列車運行ダイヤの矛盾を回避するシミュレーション結果を列車運行ダイヤに影響を与えることなく確認し、運転整理業務の効率を向上する。【解決手段】運行管理システムにおける運転整理端末は、列車走行ができない状態である矛盾が発生した場合この矛盾を回避する整理案を作成する整理案作成部、矛盾を回避する処置を行うか否かを判断した司令員がその判断を入力する操作入力部、列車の走行実績を受信して前記ダイヤ情報表示部に表示し、整理案に基づいた列車運行計画の変更結果を運行ダイヤに反映し、それに従って列車の進路制御を行うための運行ダイヤの送受信を行う運行ダイヤデータ送受信部および列車運行上、矛盾が発生する場合、矛盾が発生する駅や時刻から矛盾発生箇所の表示位置情報を取得し、矛盾発生箇所が前記ダイヤ情報表示部の中心となるように表示位置を変更して表示する矛盾検出位置取得手段を備えた。【選択図】図１
2011016461.tif 000002
【特許請求の範囲】
【請求項１】
各列車の運行計画、運行実績を表示するダイヤ情報表示部、列車運行計画の変更を指示入力できる操作入力部を備えた運転整理端末と、
列車の運行ダイヤの管理を行うダイヤ管理サーバ、列車の運行ダイヤに基づいて駅の進路制御を行う駅管理装置を備え、前記運転整理端末とデータの送受信を行って、受信したデータに基づき各列車の駅の着発時刻を求め、現在時刻以降の運行ダイヤのシミュレーション結果を列車運行ダイヤに反映させる機能を備えた運転整理サーバと、
前記運転整理端末とデータの送受信を行って、受信したデータに基づき各列車の駅の着発時刻を求め、現在時刻以降の運行ダイヤのシミュレーション結果を前記運転整理端末上で確認する運転整理検証サーバとを備え、
前記運転整理端末、前記運転整理サーバおよび前記運転整理検証サーバをネットワークにより接続した運行管理システムにおいて、
前記運転整理端末は、
列車運行ダイヤへの支障が見込まれる列車である支障列車に対して、その支障を解消するための列車の運行管理上の処置である整理案を格納する運行ダイヤデータ記憶部、列車運行上の物理的な事由から列車走行ができない状態である矛盾が発生した場合この矛盾を回避する整理案を作成する整理案作成部、
列車運行計画、運行実績を線形式により表し、列車の遅延状況、列車の到着時刻、出発時刻をダイヤ図として運転整理端末画面上に表示するダイヤ情報表示部、
前記ダイヤ情報表示部に表示される整理案に基づいて矛盾を回避する処置を行うか否かを判断した指令員がその判断を入力する操作入力部、
列車の走行実績を受信して前記ダイヤ情報表示部に表示し、整理案に基づいた列車運行計画の変更結果を運行ダイヤに反映し、反映した運行ダイヤに従って列車の進路制御を行うための運行ダイヤの送受信を行う運行ダイヤデータ送受信部および
列車運行上、矛盾が発生する場合、矛盾が発生する駅、矛盾が発生する列車、矛盾が発生する時刻から矛盾発生箇所の表示位置情報を取得し、矛盾発生箇所が前記ダイヤ情報表示部の中心となるように表示位置を変更して表示する矛盾検出位置取得手段を備えたことを特徴とする運行管理システム。
【請求項２】
請求項１記載の運行管理システムにおいて、
前記運転整理検証サーバは、、
運行ダイヤに前記整理案に基づいて変更を加える運行ダイヤ変更部、
現在時刻以降の運行ダイヤをシミュレーションする運行ダイヤ検証部、
前記運行ダイヤのシミュレーションにより運行ダイヤに矛盾があるか否かを検出する矛盾検出部、
運行ダイヤのシミュレーション結果を格納する運行ダイヤデータ管理部とを備え、
前記運転整理端末は、前記ネットワークを介して運行ダイヤのシミュレーション結果を取得し、そのシミュレーション結果に矛盾があるか否かを判断し、シミュレーション結果に矛盾がある場合は、その矛盾を回避する整理案を作成し、再度整理案を前記ネットワークを介して前記運転整理検証サーバに送信し、取得したシミュレーション結果に矛盾が検出されなくなるまで矛盾を回避する整理案の再作成および前記運転整理検証サーバへの再送信を行って矛盾のない運行ダイヤのシミュレーション結果を取得する継続検証手段を備えたことを特徴とする運行管理システム。
【請求項３】
請求項２記載の運行管理システムにおいて、
前記継続検証手段による検証の過程で作成された整理案をシミュレーションすることにより新たに列車運行上の不整合な情報として顕在化する矛盾が発生するか否かかを判断し、判断内容をダイヤ情報表示部に文字列として表示する矛盾ガイダンス表示手段を備えたことを特徴とする運行管理システム。
【請求項４】
請求項２記載の運行管理システムにおいて、
前記継続検証手段により取得した運行ダイヤのシミュレーション結果と運運行ダイヤデータ記憶部が記憶している運行ダイヤを基に対象列車の終着駅における遅延時分を算出し、算出した遅延時分をダイヤ情報表示部に遅延マークとして表示する列車遅延状況表示手段を備えたことを特徴とする運行管理システム。
【請求項５】
請求項２記載の運行管理システムにおいて、
矛盾が発生する駅、矛盾が発生する列車の終着駅が画面縮尺率にしたがってダイヤ情報表示部に表示できるか否かを判断し、画面縮尺率にしたがってダイヤ情報表示部に表示できる場合は、画面分割せずに同一画面上に表示し、画面縮尺率の制限によりダイヤ情報表示部に表示できない場合は、矛盾が発生する駅、矛盾が発生する時刻をダイヤ情報表示部の中心となるように移動した画面と、矛盾が発生する列車の終着駅をダイヤ情報表示部に表示する画面とに分割して表示する画面分割表示手段を備えたことを特徴とする運行管理システム。
【請求項６】
請求項２記載の運行管理システムにおいて、
季節、停車駅、運転区間、上下線、時間帯別に列車の乗車率を事前にパラメータ化し、必要に応じてパラメータ変更可能な乗車率データベースを有し、
継続検証の結果、継続検証の対象となった列車に対し列車の遅延が生じる運転区間において、特急列車、回送列車などの列車の種別と、乗車率を加味せず、列車の１両あたりの最大乗客定員数と、列車が何両編成であるかを示す営業種別をパラメータとして現在時点での乗車率データベースを参照して対象列車の乗客概数を算出し、
対象列車の終着駅に乗客概数をガイダンスとしてダイヤ情報表示部に表示する乗客情報表示手段を備えたことを特徴とする運行管理システム。
【請求項７】
請求項６記載の運行管理システムにおいて、
継続検証の結果、継続検証の対象となった列車に対し列車の遅延が生じる運転区間の乗客概数、対象列車の運転区間別の遅延時分をパラメータとして列車の各運転区間の影響度合いを算出し、列車の運転区間別の影響度をダイヤ情報表示部に表示されるダイヤスジの線の太さで表示する列車影響度表示手段を有することを特徴とする運行管理システム。
【発明の詳細な説明】
【技術分野】
【０００１】
本発明は、運行管理システムに係り、特に、列車運行ダイヤに基づいて列車の運行を管理する運行管理システムに関する。
【背景技術】
【０００２】
自然災害、車両故障、悪天候などのさまざまな要因により、当日に、列車ダイヤ、車両および乗務員に関する運行計画を変更しなければならない場合が多い。このような運行中に行う当日の運行計画の変更を運転整理と呼ぶ。
【０００３】
従来の運行管理システムを用いた運転整理では、運行管理システムは、列車運行に支障を来す列車を指令員に通知する手段、列車運行の支障を回避することのできる運転整理（番線変更、運転順序変更等）を提案する手段を有する。運転整理を提案する手段は、当該提案を指令員が操作する端末の運転整理画面上にガイダンス（文字列）として通知し、司令員は前記通知内容をもとに運転整理を実施している。指令員は前記ガイダンスの内容を確認し、当日運行ダイヤへの影響、乗務員への影響など総合的に判断して、前記ガイダンスを列車運行ダイヤに反映するかどうかを決定している。
【０００４】
指令員の判断により支障を回避する運転整理が決定された場合には、運行管理システムは決定内容を列車運行ダイヤに反映し、反映されたダイヤに基づいて列車を制御する。
【０００５】
また、前記運行管理システムでは、指令員の指示により、運行中に行われる当日運行計画の変更結果を、列車運行ダイヤに影響を与えずにシミュレーションし、このシミュレーション結果を運転整理端末画面上で確認することができる。
【０００６】
このような技術を開示する文献としては、例えば特許文献１が知られている。特許文献１には、天候、駅混雑情報、車庫情報などを基に現在以降の列車運行状況をシミュレーションし、その結果を列車の遅延状況に応じて、運転整理端末画面に列車スジを色分けして提示することにより、運転整理業務を支援することが開示されている。
【先行技術文献】
【特許文献】
【０００７】
【特許文献１】特開２０００−１１６８号公報
【発明の概要】
【発明が解決しようとする課題】
【０００８】
運転整理を実施するのは、自然災害、沿線災害等により乱れた列車ダイヤを、最も遅れの少ないダイヤに変更するときであり、乗客への影響も含め公共性が高いことから迅速に対応しなければならない。
【０００９】
運転整理の内容によっては、運転整理を実施したことにより、以降の列車運行に際して、列車が走行できないような不都合（矛盾）が発生する場合がある。このような場合、指令員は列車運行の矛盾を回避できる運転整理提案を画面上に表示されるガイダンス（文字列）を見て瞬時に判断しなければならず、運用上の操作は指令員の技量（熟練度、経験値）に依存するところが多い。
【００１０】
また、いくつかの線路が複雑に合流、分岐する線区においては、自然災害、沿線災害等が列車運行ダイヤに与える影響は大きい。前述のように列車運行ダイヤに矛盾が発生した場合、列車運行ダイヤの矛盾を回避するための運転整理提案が端末画面上に通知され、指令員はその通知内容を判断し、列車運行ダイヤの変更指示を行う。
【００１１】
しかし、列車運行ダイヤ変更後に、新たに列車運行上の不整合が顕在化して（矛盾が発生して）、運転整理提案が端末画面上に繰り返し通知されることがある。このような場合には、司令員は、その都度、通知内容を判断し、列車運行ダイヤに対する運転整理結果を確認しなければならない。また、前記確認に際して前記運転整理提案により矛盾が発生した場合は、その矛盾の発生箇所を端末画面上から探さなければならない。
【００１２】
運転整理業務は、ダイヤの早期回復のため迅速な対応が求められている。このため、支障列車を回避する整理案が画面上に通知された場合、指令員は前記通知内容にしたがって指示を行うだけで、支障を回避する整理案の変更情報が自動で作成され、列車運行ダイヤに反映することによって支障列車を回避することができる。
【００１３】
しかし、支障列車を回避する整理案を指示する際、整理案によって変更した列車運行ダイヤを、列車運行ダイヤに影響を与えることなく、直接シミュレーションして確認することはできない。すなわち、整理案は、列車運行ダイヤに反映した後で初めて端末画面上での確認が可能となる。このように、指令員は整理案の変更結果を列車運行ダイヤに影響を与えることなくシミュレーションし、その結果を確認することはできない。また、現在の列車運行状況に対して整理案を適用した場合における影響度を事前に確認することはできない。
【００１４】
また、整理案を適用した場合における列車の遅延状況は、列車スジの色分け、現在の列車の運行状況等をモニタすることで確認できるが、列車の運行状況を確認するには、指令員の操作が必要となる。
【００１５】
また、前記特許文献１記載の技術では、乗客の情報は駅混雑情報として列車スジの乱れ度合いに反映されることになる。しかし、指令員は駅毎の混雑状況を定量的に把握することができない。すなわち、列車運行の早期回復の外に乗客の利便性を重視した整理案を指示するには指令員に対する情報が十分であるとはいえない。
【００１６】
本発明はこれらの問題点に鑑みてなされたもので、列車運行ダイヤの矛盾を回避する整理案のシミュレーション結果を列車運行ダイヤに影響を与えることなく取得することができるとともに運転整理業務の効率を向上させることのできる運行管理システムを提供するものである。
【課題を解決するための手段】
【００１７】
本発明は上記課題を解決するため、次のような手段を採用した。
【００１８】
各列車の運行計画、運行実績を表示するダイヤ情報表示部、列車運行計画の変更を指示入力できる操作入力部を備えた運転整理端末と、列車の運行ダイヤの管理を行うダイヤ管理サーバ、列車の運行ダイヤに基づいて駅の進路制御を行う駅管理装置を備え、前記運転整理端末とデータの送受信を行って、受信したデータに基づき各列車の駅の着発時刻を求め、現在時刻以降の運行ダイヤのシミュレーション結果を列車運行ダイヤに反映させる機能を備えた運転整理サーバと、前記運転整理端末とデータの送受信を行って、受信したデータに基づき各列車の駅の着発時刻を求め、現在時刻以降の運行ダイヤのシミュレーション結果を前記運転整理端末上で確認する運転整理検証サーバとを備え、前記運転整理端末、前記運転整理サーバおよび前記運転整理検証サーバをネットワークにより接続した運行管理システムにおいて、前記運転整理端末は、列車運行ダイヤへの支障が見込まれる列車である支障列車に対して、その支障を解消するための列車の運行管理上の処置である整理案を格納する運行ダイヤデータ記憶部、列車運行上の物理的な事由から列車走行ができない状態である矛盾が発生した場合この矛盾を回避する整理案を作成する整理案作成部、列車運行計画、運行実績を線形式により表し、列車の遅延状況、列車の到着時刻、出発時刻をダイヤ図として運転整理端末画面上に表示するダイヤ情報表示部、前記ダイヤ情報表示部に表示される整理案に基づいて矛盾を回避する処置を行うか否かを判断した指令員がその判断を入力する操作入力部、列車の走行実績を受信して前記ダイヤ情報表示部に表示し、整理案に基づいた列車運行計画の変更結果を運行ダイヤに反映し、反映した運行ダイヤに従って列車の進路制御を行うための運行ダイヤの送受信を行う運行ダイヤデータ送受信部および列車運行上、矛盾が発生する場合、矛盾が発生する駅、矛盾が発生する列車、矛盾が発生する時刻から矛盾発生箇所の表示位置情報を取得し、矛盾発生箇所が前記ダイヤ情報表示部の中心となるように表示位置を変更して表示する矛盾検出位置取得手段を備えた。
【００１９】
また、前記運行管理システムにおいて、前記運転整理検証サーバは、運行ダイヤに前記整理案に基づいて変更を加える運行ダイヤ変更部、現在時刻以降の運行ダイヤをシミュレーションする運行ダイヤ検証部、前記運行ダイヤのシミュレーションにより運行ダイヤに矛盾があるか否かを検出する矛盾検出部、運行ダイヤのシミュレーション結果を格納する運行ダイヤデータ管理部とを備え、前記運転整理端末は、前記ネットワークを介して運行ダイヤのシミュレーション結果を取得し、そのシミュレーション結果に矛盾があるか否かを判断し、シミュレーション結果に矛盾がある場合は、その矛盾を回避する整理案を作成し、再度整理案を前記ネットワークを介して前記運転整理検証サーバに送信し、取得したシミュレーション結果に矛盾が検出されなくなるまで矛盾を回避する整理案の再作成および前記運転整理検証サーバへの再送信を行って矛盾のない運行ダイヤのシミュレーション結果を取得する継続検証手段を備えた。
【００２０】
また、前記運行管理システムにおいて、前記継続検証手段による検証の過程で作成された整理案をシミュレーションすることにより新たに列車運行上の不整合な情報として顕在化する矛盾が発生するか否かかを判断し、判断内容をダイヤ情報表示部に文字列として表示する矛盾ガイダンス表示手段を備えた。
【００２１】
また、前記運行管理システムにおいて、前記継続検証手段により取得した運行ダイヤのシミュレーション結果と運運行ダイヤデータ記憶部が記憶している運行ダイヤを基に対象列車の終着駅における遅延時分を算出し、算出した遅延時分をダイヤ情報表示部に遅延マークとして表示する列車遅延状況表示手段を備えた。
【００２２】
また、前記運行管理システムにおいて、矛盾が発生する駅、矛盾が発生する列車の終着駅が画面縮尺率にしたがってダイヤ情報表示部に表示できるか否かを判断し、画面縮尺率にしたがってダイヤ情報表示部に表示できる場合は、画面分割せずに同一画面上に表示し、画面縮尺率の制限によりダイヤ情報表示部に表示できない場合は、矛盾が発生する駅、矛盾が発生する時刻をダイヤ情報表示部の中心となるように移動した画面と、矛盾が発生する列車の終着駅をダイヤ情報表示部に表示する画面とに分割して表示する画面分割表示手段を備えた。
【００２３】
また、前記運行管理システムにおいて、季節、停車駅、運転区間、上下線、時間帯別に列車の乗車率を事前にパラメータ化し、必要に応じてパラメータ変更可能な乗車率データベースを有し、継続検証の結果、継続検証の対象となった列車に対し列車の遅延が生じる運転区間において、特急列車、回送列車などの列車の種別と、乗車率を加味せず、列車の１両あたりの最大乗客定員数と、列車が何両編成であるかを示す営業種別をパラメータとして現在時点での乗車率データベースを参照して対象列車の乗客概数を算出し、対象列車の終着駅に乗客概数をガイダンスとしてダイヤ情報表示部に表示する乗客情報表示手段を備えた。
【００２４】
また、前記運行管理システムにおいて、継続検証の結果、継続検証の対象となった列車に対し列車の遅延が生じる運転区間の乗客概数、対象列車の運転区間別の遅延時分をパラメータとして列車の各運転区間の影響度合いを算出し、列車の運転区間別の影響度をダイヤ情報表示部に表示されるダイヤスジの線の太さで表示する列車影響度表示手段を備えた。
【発明の効果】
【００２５】
本発明は、以上の構成を備えるため、列車運行ダイヤの矛盾を回避する整理案のシミュレーション結果を列車運行ダイヤに影響を与えることなく取得することができるとともに運転整理業務の効率を向上させることのできる運行管理システムを提供することができる。
【図面の簡単な説明】
【００２６】
【図１】本実施形態にかかる運行管理システムを説明する図である。
【図２】本実施形態にかかる運行管理システムを説明する図である。
【図３】本実施形態にかかる運行管理システムを説明する図である。
【図４】矛盾検出位置取得手段による表示画面を示す図である。
【図５】継続検証手段及び矛盾ガイダンス表示手段による表示画面を示す図である。
【図６】列車遅延状況表示手段による表示画面を示す図である。
【図７】画面分割表示手段による表示画面を示す図である。
【図８】乗客情報表示手段による表示画面を示す図である。
【図９】列車影響度表示手段による表示画面を示す図である。
【図１０】列車影響度表示手段にて抽出した整理案の変更対象列車の各運転区間毎の評価指標をダイヤスジに反映した図である。
【図１１】運行管理システムに用いられるデータ構造について説明する図である。
【発明を実施するための形態】
【００２７】
以下、実施形態を添付図面を参照しながら説明する。図１ないし３は、本実施形態にかかる運行管理システムを説明する図である。
【００２８】
図１ないし３に示すように、本実施形態の運行管理システムは、複数の運転整理端末１１００、運転整理サーバ１２００、運転整理検証サーバ１３００、ダイヤ管理サーバ１４００、駅装置１５００、およびこれらを接続するネットワークを備える。
【００２９】
運転整理端末１１００は、運行ダイヤデータ記憶部１１１０、整理案作成部１１２０、ダイヤ情報表示部１１３０、操作入力部１１４０、運行ダイヤデータ送受信部１１５０、乗車率データベース１１６０、および運転整理提案表示手段１１７０を備える。
【００３０】
運転整理端末１１００は、当日の運行乱れの修正のために指令員が使用する計算機装置である。一般的には、キーボードやマウス等のポインティングデバイスからなる入力装置とディスプレイ装置である表示装置を装備し、運転整理サーバ１２００または運転整理検証サーバ１３００から受信したデータを運行ダイヤデータ記憶部１１１０を介して表示装置上に描画するダイヤ情報表示部１１３０と、入力装置から運転整理の指示を行う操作入力部１１４０を備える。
【００３１】
運行ダイヤデータ記憶部１１１０は、運転整理サーバ１２００または運転整理検証サーバ１３００から送信される運行ダイヤデータを運行ダイヤデータ送受信部１１５０を介して受信し、運行計画ファイル１１１１、運行実績ファイル１１１２、整理案１１１３として記憶する。
【００３２】
整理案作成部１１２０は、運転整理サーバ１２００または運転整理検証サーバ１３００から送信される運行ダイヤデータを運行ダイヤデータ送受信部１１５０を介して受信し、そのデータに列車運行上、支障を来たす要因がある場合は支障を回避するような変更情報を作成し、整理案１１１３に格納する。
【００３３】
ダイヤ情報表示部１１３０は、運行ダイヤデータ記憶部１１１０に格納しているデータを表示用データとしてダイヤ図上に表示し、整理案作成部１１２０にて作成された整理案１１１３をダイヤ図上に表示する。
【００３４】
操作入力部１１４０は、指令員がマウスなどの入力装置から運転整理の指示を行う。
【００３５】
運行ダイヤデータ送受信部１１５０は、運転整理サーバ１２００または運転整理検証サーバ１３００と運転整理端末１１００との間でデータの送受信を行う。
【００３６】
運転整理提案表示手段１１７０は、矛盾検出位置取得手段１１７１、継続検証手段１１７２、矛盾ガイダンス表示手段１１７３、列車遅延状況表示手段１１７４、画面分割表示手段１１７５、乗客情報表示手段１１７６、列車影響度表示手段１１７７を備える。
【００３７】
乗車率データベース１１６０は、季節、停車駅、運転区間、上下線、時間帯別に列車の乗車率を定義したデータベースである。
【００３８】
図２に示すように、運転整理サーバ１２００は、運行ダイヤ変更部１２１０、運行ダイヤ予想部１２２０、矛盾検出部１２３０、運行ダイヤデータ管理部１２４０、運行ダイヤデータ送受信部１２７０、および他装置向けデータ送受信部１２８０を備える。
【００３９】
運行ダイヤ変更部１２１０は、運転整理端末１１００から送信される変更情報に基づき、運行ダイヤデータを変更し、運行ダイヤデータ管理部１２４０の運行計画１２５０に格納する。
【００４０】
運行ダイヤ予想部１２２０は、運行ダイヤ変更部により変更した運行計画１２５０に基づき、現在時刻以降の運行ダイヤのシミュレーションを行う。
【００４１】
矛盾検出部１２３０は、運行ダイヤ予想部１２２０による運行ダイヤのシミュレーションの結果、列車運行上の矛盾があるかどうかを検出する。
【００４２】
運行ダイヤデータ送受信部１２７０は、運転整理端末１１００から変更情報を受信する。
【００４３】
他装置向けデータ送受信部１２８０は、ダイヤ管理装置１４００、駅装置１５００から最新の列車運行ダイヤ、および列車の実績情報を受信し、運行ダイヤデータ管理部１２４０に格納する。
【００４４】
図３に示すように、運転整理検証サーバ１３００は、運行ダイヤ変更部１３１０、運行ダイヤ検証部１３２０、矛盾検出部１３３０、運行ダイヤデータ管理部１３４０、および運行ダイヤデータ送受信部１３７０を備える。
【００４５】
運行ダイヤ変更部１３１０は、運転整理端末１１００から送信される変更情報に基づき、運行ダイヤデータを変更し、運行ダイヤデータ管理部１３４０の運行計画１３５０に格納する。
【００４６】
運行ダイヤ検証部１３２０は、運行ダイヤ変更部により変更した運行計画１３５０に基づき、現在時刻以降の運行ダイヤのシミュレーションを行う。
【００４７】
矛盾検出部１３３０は、運行ダイヤ検証部１３２０による運行ダイヤのシミュレーションの結果、列車運行上の矛盾があるかどうかを検出する。
【００４８】
運行ダイヤデータ送受信部１３７０は、運転整理端末１１００から変更情報を受信する。
【００４９】
次に、本実施形態にかかる運行管理システムにおける処理について説明する。
【００５０】
運転整理サーバ１２００は、駅装置１５００から受信した列車の実績情報、ダイヤ管理サーバ１４００から受信した最新の列車運行ダイヤを運行ダイヤデータ管理部１２４０に保持し、適宜、運行ダイヤデータ送受信部１２７０および運行ダイヤデータ送受信部１１５０を介して、運転整理端末１１００の運行ダイヤデータ記憶部に格納する。
【００５１】
また、運転整理サーバ１２００は、自装置が保持している運行計画ファイル１２５０、運行実績ファイル１２６０に基づいて適宜、運行ダイヤ予想部１２２０にて列車運行ダイヤのシミュレーションを行い、シミュレーション結果に列車運行上の矛盾があるかどうかを矛盾検出部１２３０にて検出し、検出結果を運行ダイヤデータ管理部１２４０に保持する。
【００５２】
運転整理端末１１００は、運転整理サーバ１２００より受信したデータを運行ダイヤデータ記憶部１１１０に格納し、その中に格納される整理案１１１３をダイヤ情報表示部１１３０に表示する。
【００５３】
矛盾検出位置取得手段１１７１は、整理案１１１３内に矛盾を回避する整理案が存在した場合、その整理案１１１３から矛盾存在駅、矛盾対象列車を抽出し、運行計画ファイル１１１１から矛盾対象列車の矛盾発生駅における着発時刻を取得し、それらの情報から矛盾箇所を表示するための位置情報を算出し、その矛盾発生箇所をダイヤ情報表示部１１３０の中心位置に移動して表示する。
【００５４】
指令員は、ダイヤ情報表示部１１３０に表示された整理案を見て、操作入力部１１４０より整理案を採用する旨の指示を行うと、運転整理端末１１００は、整理案を変更情報として運行ダイヤデータ送受信部１１５０を介して運転整理検証サーバ１３００に送信する。  運転整理検証サーバ１３００は、運行ダイヤ変更部１３１０、運行ダイヤ検証部１３２０、矛盾検出部１３３０を用いて運行ダイヤのシミュレーションを行い、運転整理端末１１００は、運行ダイヤデータ送受信部１３７０を介してシミュレーション結果を受信する。
【００５５】
継続検証手段１１７２は、運行ダイヤデータ送受信部１３７０を介して運行ダイヤのシミュレーション結果を受信し、受信したシミュレーション結果に矛盾があるかどうかを判断し、シミュレーション結果に矛盾がある場合は、その矛盾を回避する整理案を整理案作成部１１２０において作成し、作成した整理案を整理案１１１３に格納する。
【００５６】
この整理案を運行ダイヤデータ送受信部１１５０を介して運転整理検証サーバ１３００に送信し、再度運行ダイヤのシミュレーションを行い、運転整理端末１１００は受信したシミュレーション結果に矛盾が検出されなくなるまで、前記矛盾を回避する整理案の作成および運転整理検証サーバへの整理案の変更情報の送信を繰り返し行う。
【００５７】
矛盾ガイダンス表示手段１１７３は、ダイヤ情報表示部１１３０に表示された整理案の運行ダイヤを継続検証手段１１７２によりシミュレーションすることにより、新たに矛盾が発生するかどうかを判断し、その判断内容をダイヤ情報表示部１１３０に文字列として表示する。
【００５８】
列車遅延状況表示手段１１７４は、運転整理端末１１００が記憶している運行計画ファイル１１１１の矛盾回避対象列車の終着駅における着発時刻と、継続検証手段１１７２により取得した矛盾回避対象列車の終着駅における着発時刻から、矛盾回避対象列車の遅延時分を算出し、算出した遅延時分をダイヤ情報表示部１１３０に遅延マークとして表示する。
【００５９】
画面分割表示手段１１７５は、継続検証手段１１７２による運行ダイヤのシミュレーション結果に基づいて、矛盾が発生する駅、矛盾が発生する列車の情報を、画面縮尺率にしたがってダイヤ情報表示部１１３０に表示できるかどうかを判断し、画面縮尺率にしたがってダイヤ情報表示部１１３０に表示できる場合は、画面分割せずに同一画面上に表示する。
【００６０】
画面縮尺率にしたがってもダイヤ情報表示部１１３０に表示できない場合は、矛盾が発生する駅、矛盾が発生する時刻をダイヤ情報表示部１１３０の中心となるように移動して表示する画面と、矛盾が発生する列車の終着駅をダイヤ情報表示部１１３０に表示する画面とに分割して表示する。
【００６１】
乗客情報表示手段１１７６は、継続検証手段１１７２による運行ダイヤのシミュレーション結果と運行計画ファイル１１１１から、継続検証の対象となった列車に対し列車の遅延が生じる運転区間を抽出し、その運転区間において、特急列車、回送列車などの列車の種別と、乗車率を加味して、列車の１両あたりの最大乗客定員数と、列車が何両編成であるかを示す営業種別を取得し、下記の方法により乗客概数を演算して表示する。
【００６２】
列車種別が特急列車の場合は、列車種別パラメータを「１」、列車種別が回送列車の場合は、列車種別パラメータを「０」とし、列車種別パラメータが「１」の場合、対象列車の遅延が生じる運転区間における編成数、対象列車の各編成における両数、１両あたりの最大乗客定員数を取得する。
【００６３】
乗車率データベース１１６０には運転区間別に列車の乗車率が定義されており、対象列車の運転区間別の乗客概数を下記の算出式により算出する。
【００６４】
「乗客概数＝列車種別パラメータ×列車の編成数×両数×最大乗客定員数×乗車率」
算出した運転区間別の乗客概数を累計値として求め、対象列車の終着駅にその乗客概数の累計値をガイダンスとしてダイヤ情報表示部１１３０に表示する。
【００６５】
列車影響度表示手段１１７７は、乗客情報表示手段１１７６により取得した運転区間別の乗客概数と列車遅延状況表示手段１１７４により取得した遅延時分、および現在時刻時点での乗車率データベース１１６０を元に、対象列車の各運転区間の影響度合いを算出し、算出した影響度合いをダイヤ情報表示部１１３０に表示されるダイヤスジの線の太さで表示する。影響度合いの評価指標は、ダイヤスジの線が太い程、整理案の変更結果に対して影響の大きいことを表す。
【００６６】
なお、整理案の変更対象列車の列車種別は運行計画ファイル１１１１から抽出し、変更対象列車のダイヤスジの線種を取得する。乗客情報表示手段１１７６にて算出した乗客概数と、乗車率データベース１１６０にて定義している乗客影響度９１６０から下記の算出式により評価指標を求める。
【００６７】
「評価指標＝乗客概数÷乗客影響度」
なお、列車影響度をある閾値によって、影響小、影響中、影響大と定義し、この評価指標がどの範囲に属するか判断し、その影響度をダイヤスジの線種に反映して表示することができる。
【００６８】
次に、図１１を参照して、本実施形態の運行管理システムに用いられるデータ構造について説明する。
【００６９】
図１１は、乗車率データベース１１６０の構成例を示す図である。乗車率データベース１１６０は、列車の乗車率情報９１１０を図１に示す運転整理端末１１００内に保持するものであり、図１１に示されるように、列車の混雑時期を示す季節９１２０と、列車の上り線、下り線を示す上下線９１３０、列車の走行区間を示す運転区間９１４０、運転区間別に乗客がその列車に乗る割合を示す乗車率９１５０、評価指標を求めるための運転区間別の影響度の基準値を示す乗客影響度９１６０を有する。
【００７０】
次に、運転整理端末１１００に表示されるシミュレーションの結果の表示画面を説明する。
【００７１】
図４は、運転整理端末１１００に表示される矛盾検出位置取得手段１１７１による表示画面を示す図である。
【００７２】
図４（ａ）に示されるように、この画面では、縦軸に駅、横軸に時間をとり、列車のダイヤを線分で示した通常のダイヤスジ画面２１００を表示する。
【００７３】
この例では、列車Ａレ、Ｂレに対し、列車運行上、Ａレ、Ｂレがこれ以上走行不可能な状態（矛盾状態）となった場合に、矛盾摘出駅Ｘと矛盾発生時刻２１５０の交差点に矛盾マーク２１１０を表示し、矛盾マーク２１１０を回避する運転整理の内容を整理案２１２０として表示する。
【００７４】
ダイヤ表示領域外で摘出した矛盾発生時刻２１５０に対し、図４（ｂ）に示されるようにダイヤスジ画面２１００のダイヤ表示領域の中心となるように移動して表示する。
【００７５】
図５は、運転整理端末１１００に表示される継続検証手段１１７２および矛盾ガイダンス表示手段１１７３による表示画面を示す図である。
【００７６】
図４（ｂ）の状態から、整理案２１２０に対し整理案実行釦２１３０により整理案の指示を行うと、図５（ａ）に示されるように、図４（ｂ）の矛盾マーク２１１０を回避する運転整理の内容をシミュレーションし、そのシミュレーション結果をダイヤスジ画面２１００に表示する。整理案２１２０をシミュレーションした結果、列車ＢレとＣレに対し新たに矛盾が摘出された場合は、矛盾摘出駅Ｘと矛盾摘出時刻２１５０の交差点に矛盾マーク３１２０を表示し、矛盾マーク３１２０を回避する運転整理の内容を整理案３１１０として表示する。
【００７７】
整理案３１１０が表示された場合は、整理案実行釦２１３０または整理案不実行釦２１４０で、整理案３１１０に対し整理案の実行を指示するかどうかを選択する。
【００７８】
整理案３１１０の内容に対し、整理案不実行釦２１４０が押下された場合は整理案の指示を受け付けず、最初に矛盾を検出した時点の状態（図４（ｂ））に戻る。
【００７９】
本例では、整理案３１１０に対し整理案実行釦２１３０が押下された場合、整理案３１１０をシミュレーションし、その結果をダイヤスジ画面２１００に表示する。このとき、図５（ｂ）に示されるように、シミュレーション結果に矛盾があるか否かを矛盾ガイダンス３１３０として表示する。シミュレーションの結果、矛盾が摘出されない場合は運行ダイヤに矛盾のない旨のメッセージを表示し、運行ダイヤに整理案２１２０、または整理案３１３０を反映するかどうかの判断を促す。その後、整理案実行釦２１３０または整理案不実行釦２１４０で、整理案を指示するかどうかを選択する。
【００８０】
図６は、運転整理端末１１００（ダイヤ情報表示部）に表示される列車遅延状況表示手段１１７４による表示画面を示す図である。
【００８１】
本例では、図６に示されるように、整理案２１２０のシミュレーションの結果と前記運転整理端末１１００が保持している運行計画ファイル１１１１とから、列車Ａレ、Ｂレに対する終着駅Ｙの着発時刻をそれぞれ求め、Ａレ、Ｂレの終着駅Ｙに対する遅延時分を算出する。遅延時分が１分以上の場合は、対象列車の終着駅Ｙの折り返し時点に遅延時分情報を遅延マーク４１１０として表示する。
【００８２】
図７は、運転整理端末１１００に表示される画面分割表示手段１１７５による表示画面を示す図である。
【００８３】
図７（ａ）（ｂ）は、整理案３１１０のシミュレーション結果後の図である。図７（ａ）で示されるように、整理案３１１０によって変更の対象となった矛盾摘出駅Ｘと、列車Ｃレの終着駅Ｚが、画面縮尺率の制限によりダイヤスジ画面２１００に表示できない場合、矛盾発生時刻線２１５０をダイヤスジ画面２１００の中心となる様に移動した画面と、Ｃレの終着駅Ｚをダイヤスジ画面２１００に表示する画面とを分割して表示する。
【００８４】
図７（ｂ）で示されるように、整理案３１１０によって変更の対象となった矛盾摘出駅Ｘと、列車Ｃレの終着駅Ｚが画面縮尺率にかかわらずダイヤスジ画面２１００に表示できる場合、画面分割せずに同一のダイヤスジ画面２１００に表示する。
【００８５】
図８は、運転整理端末１１００に表示される乗客情報表示手段１１７６による表示画面を示す図である。
【００８６】
本例では、整理案２１２０において整理案の対象となった列車Ｂレに対し、終着駅Ｙにおける遅延時分と、遅延が生じる運転区間Ｘ駅〜Ｙ駅を抽出し、Ｘ駅〜Ｙ駅において、Ｂレの列車種別、営業種別を運行計画ファイル１１１１より抽出する。例えば、列車Ｂレが特急列車、２編成、１０両編成、１両あたり乗客定員１００名、上り列車、繁忙期であるとすると、列車Ｂレの乗客概数は下記の算出式により算出する。
【００８７】
「乗客概数＝１×２×１０×１００×０．６」
算出した運転区間別の乗客概数を累計値として求め、対象列車の終着駅にその乗客概数の累計値をガイダンス６１１０としてダイヤスジ画面２１００に表示する。
【００８８】
図９は、運転整理端末１１００に表示される列車影響度表示手段１１７７による表示画面を示す図である。
【００８９】
本例では、整理案２１２０にて整理案の対象となった列車Ｂレに対し、終着駅Ｙにおける遅延時分と、遅延が生じる運転区間Ｘ駅〜Ｙ駅を抽出し、乗客情報表示手段１１７６にて算出した乗客概数と、乗車率データベース１１６０にて定義している乗客影響度９１６０から評価指標を求める。
【００９０】
「評価指標＝乗客概数÷４００」
また、列車影響度を、０＜影響小＜１、１＜影響中＜５、５＜影響大と定義し、この評価指標の値が、列車影響度のどの範囲に属するか判断し、その影響度をダイヤスジ７１１０の線種（太さ）に反映して表示する。
【００９１】
図１０は、列車影響度表示手段１１７７にて抽出した整理案の変更対象列車の各運転区間毎の評価指標をダイヤスジ８１１０に反映した図である。
【００９２】
図１０に示すように、列車Ａレに対してはＺ駅〜Ｙ駅間で影響大、Ｘ駅〜Ｗ駅間で影響小、列車Ｃレに対してはＸ駅〜Ｙ駅間で影響小、Ｙ駅〜Ｚ駅間で影響大ということがダイヤスジ画面上で判断できる。
【００９３】
以上説明したように、本実施形態の運行管理システムは、列車運行ダイヤを画面上に表示する運転整理端末において、その運転整理端末に、矛盾箇所の位置データを取得する矛盾検出位置取得手段と、列車運行ダイヤのシミュレーション結果を繰り返し行う継続検証手段と、継続検証手段によって新たな矛盾の検出内容を通知する矛盾ガイダンス表示手段と、矛盾対象列車をその矛盾を回避することによって、矛盾対象列車の終着駅における着発時分がどの程度の遅延であるかを遅延マークとして表示する列車遅延状況表示手段と、矛盾摘出箇所および、矛盾回避対象列車の終着駅における影響度を指令員の画面操作なしで同一画面上で確認できる画面分割表示手段と、季節、停車駅、運転区間、上下線、時間帯別に列車の乗車率を予めパラメータ化しておいた乗車率データベースを参照し、矛盾回避対象列車の列車種別、営業種別から抽出した各運転区間の乗客概数を算出し、矛盾回避対象列車の終着駅における乗客概数の累計をガイダンスとして表示する乗客情報表示手段と、前記乗車率データベースと各運転区間の乗客概数、矛盾回避対象列車の運転区間別の遅延時分をパラメータとし、矛盾回避対象列車の各運転区間の影響度合いを算出し、運転区間別の影響度をダイヤスジの線の太さで画面上に表示する列車影響度表示手段とを備える。
【００９４】
また、本実施形態の運行管理システムは、各列車の運行計画、運行実績をダイヤ図で表示し、また、列車運行計画の変更を指示する運転整理端末と、列車の運行ダイヤ管理を行うダイヤ管理サーバと、列車の運行ダイヤに基づいて駅の進路制御等を行う駅管理装置と、前記運転整理端末とデータの送受信を行って、受信したデータに基づき各列車の駅の着発時刻を求め、現在時刻以降の運行ダイヤのシミュレーション結果を列車運行ダイヤに反映させる機能を備えた運転整理サーバと、前記運転整理端末とデータの送受信を行って、受信したデータに基づき各列車の駅の着発時刻を求め、現在時刻以降の運行ダイヤのシミュレーション結果を列車運行ダイヤに反映させずに前記運転整理端末上で確認できる機能を備えた運転整理検証サーバとを備え、それらの運転整理端末とダイヤ管理サーバと駅管理装置と運転整理サーバと運転整理検証サーバとはネットワークにより接続されている。
【００９５】
運転整理端末では、指令員が指示する整理案を変更情報として運転整理サーバへ送信する。運行ダイヤに反映させずにシミュレーション結果を確認する場合は前記変更情報を運転整理検証サーバに送信する。
【００９６】
運転整理サーバでは、運転整理端末より受信した変更情報に基づき、運行ダイヤの変更を行い、変更した運行ダイヤに基づいて現在時刻以降の運行ダイヤのシミュレーションを行い、そのシミュレーション結果を運転整理端末に送信する。
【００９７】
運転整理検証サーバでは、その変更情報に基づいて運行ダイヤの変更を行い、変更した運行ダイヤに基づいて現在時刻以降の運行ダイヤのシミュレーションを行い、そのシミュレーション結果を運転整理端末に送信する。
【００９８】
運転整理端末は、運転整理サーバまたは運転整理検証サーバより受信したシミュレーション結果をダイヤ図として画面上に表示する。
【００９９】
また、運転整理端末は、運転整理サーバより受信したシミュレーション結果に基づいて、列車の運行上で矛盾の発生する要因があるかどうかを判定し、矛盾の発生する要因がある場合はその矛盾を回避する整理案を作成し、その整理案を運転整理端末画面上に文字列として表示し、指令員に通知する。
【０１００】
運転整理端末は、運転整理検証サーバより受信したシミュレーション結果に基づいて、列車の運行上で矛盾の発生する要因があるかどうかを判定し、矛盾の発生する要因がある場合は、そのシミュレーション結果より対象列車、対象駅および、対象列車の対象駅における着発時刻を抽出し、それらの情報を表示位置情報に変換し矛盾摘出箇所を求め、その矛盾摘出箇所を画面の中心位置座標として設定し、その位置に表示する。
【０１０１】
これにより、指令員は画面を一目見て、あるいは画面に出ていない部分もわずかな操作で確認することが可能となり、操作時間の短縮、誤操作の防止、指令員の負荷の軽減を図ることができる。
【０１０２】
また、運転整理端末は、運転整理検証サーバより受信したシミュレーション結果に基づいて、列車の運行上で矛盾の発生する要因があるかどうかを判定し、矛盾の発生する要因がある場合は、シミュレーション結果よりその矛盾を回避する整理案を作成し、その整理案を変更情報として運転整理検証サーバに送信する。
【０１０３】
運転整理検証サーバでは、再度受信した変更情報に基づいて運行ダイヤの変更を行い、変更した運行ダイヤに基づいて現在時刻以降の運行ダイヤのシミュレーションを行い、そのシミュレーション結果を運転整理端末に送信する。運転整理端末は、運転整理検証サーバより受信したシミュレーション結果に基づいて矛盾のチェックを行う。シミュレーション結果後も新たに列車運行上の不整合な情報として顕在化する矛盾が発生する場合は、再度その矛盾を回避する整理案を作成するとともに、その整理案のガイダンスを画面上に表示し、指令員に通知する。指令員はその通知内容を見て整理案を指示するかどうか判断し、整理案を指示する場合はその整理案を変更情報として運転整理検証サーバへ送信する。このようにシミュレーション結果の矛盾チェックおよび矛盾回避案作成を矛盾の発生する要因がなくなるまで繰り返し行う。
【０１０４】
これにより、整理案操作中にその変更情報のシミュレーション結果を列車運行ダイヤに影響を与えることなく確認することができ、また整理案の操作によって新たな矛盾が発生する場合は、矛盾を摘出した箇所を画面中央に表示し、新たな矛盾を検出したことを通知するので、指令員は現在の列車運行状況に影響を与えず整理案変更結果を確認でき、運転整理業務の効率化を図ることができる。
【０１０５】
また、運転整理端末は、運転整理検証サーバより受信したシミュレーション結果と当日の列車運行計画に基づいて、整理案の対象となる列車の終着駅における遅延時分を算出し、運転整理端末画面上にその遅延時分を遅延マークとして表示する。
【０１０６】
これにより、指令員の操作なしでも列車遅延状況の確認が可能となり、整理案の変更結果を容易に確認することが可能となる。
【０１０７】
また、運転整理端末は、運転整理検証サーバより受信したシミュレーション結果に基づいて、整理案の対象となる駅および列車の終着駅が、同一画面上に表示できる場合は、画面分割せずに同一画面上に表示し、画面縮尺率の制限により同一画面上に表示できない場合は、整理案の対象となる駅および対象列車の矛盾摘出時刻が画面上の中心となるように表示する画面と、整理案対象列車の終着駅を画面上に表示する画面とを分割して表示する。
【０１０８】
これにより、現在の列車運行状況に対して、現在時刻からその列車の終着駅までの矛盾回避対象列車の全体の影響度を同画面上で確認することができ、指令員の判断の即応化が期待できる。
【０１０９】
また、運転整理端末は、運転整理検証サーバより受信したシミュレーション結果に基づいて、特急列車、回送列車などの列車の種別と、乗車率を加味して、列車の１両あたりの最大乗客定員数と、列車が何両編成であるかを示す営業種別と、季節、停車駅、運転区間、上下線、時間帯別に列車の乗車率を予めパラメータ化した乗車率データベースから矛盾回避対象列車の乗客概数を算出し、対象列車の終着駅に乗客概数をガイダンスとして運転整理端末画面上に表示することができる。
【０１１０】
また、シミュレーション結果から矛盾回避対象列車の各駅における遅延見込み時刻を抽出し、さらに前記乗客概数と前記乗車率データベースから矛盾回避対象列車の各運転区間の影響度合いを算出し、対象列車の運転区間別の影響度をダイヤスジの線の太さで表示することができる。これにより、現在の列車運行状況から整理案で変更したことによる対象列車の影響度を容易に確認できる。
【０１１１】
このように、本実施形態によれば、列車運行ダイヤの矛盾を回避する整理案のシミュレーション結果を列車運行ダイヤに影響を与えずに確認することができ、運転整理業務の効率を向上することができる。また、整理案による列車運行ダイヤの回復状況、遅延状況を認知できる情報として運転整理端末画面上に表示することで、列車運行ダイヤの影響度を確認でき、整理案の採否するための判断効率を向上させることができる。
【符号の説明】
【０１１２】
１１００  運転整理端末、
１２００  運転整理サーバ
１３００  運転整理検証サーバ
１４００  ダイヤ管理サーバ
１５００  駅装置  
１１１０  運行ダイヤデータ記憶部
１１１１  運行計画ファイル
１１１２  運行実績ファイル
１１１３  整理案  
１１２０  整理案作成部
１１３０  ダイヤ情報表示部
１１４０  操作入力部
１１５０  運行ダイヤデータ送受信部
１１６０  乗車率データベース
１２１０  運行ダイヤ変更部
１２２０  運行ダイヤ予想部
１２３０  矛盾検出部
１２４０  運行ダイヤデータ管理部
１２５０  運行計画ファイル
１２６０  運行実績ファイル
１２７０  運行ダイヤデータ送受信部
１２８０  他装置向けデータ送受信部  
１３１０  運行ダイヤ変更部
１３２０  運行ダイヤ検証部
１３３０  矛盾検出部
１３４０  運行ダイヤデータ管理部
１３５０  運行計画ファイル
１３６０  運行実績ファイル
１３７０  運行ダイヤデータ送受信部
【図１】
2011016461.tif 000003
【図２】
2011016461.tif 000004
【図３】
2011016461.tif 000005
【図４】
2011016461.tif 000006
【図５】
2011016461.tif 000007
【図６】
2011016461.tif 000008
【図７】
2011016461.tif 000009
【図８】
2011016461.tif 000010
【図９】
2011016461.tif 000011
【図１０】
2011016461.tif 000012
【図１１】
2011016461.tif 000013